(57)【要約】【課題】  運転者が車両の運転を開始しようとする毎に、当該運転者が当該車両を運転するための条件を満たしているか否かを確認することができ、車両のセキュリティ性を向上させるとともに違法な運転を防止することが可能となる。【解決手段】  予め車載カード（あるいは車載機のメモリ）に記録されている当該車両に関する情報と運転者が所持している運転免許証に記録されている免許証情報とに基づいて、当該運転者が当該車両を運転する条件を満たしているか否かを判定し、それらの条件を満たしていると判定した場合に当該車両のエンジンを始動させるようにしてものである。【選択図】      図２
2005096657.tif 000002
【特許請求の範囲】
【請求項１】
車両に搭載される車載装置において、
運転者が所持している運転免許証から免許証情報を読み取る読取手段と、
前記車載装置に搭載され、前記車両に関する情報が予め記録されているメモリと、
前記読取手段により読み取った免許証情報と前記メモリに記録されている車両に関する情報に基づいて、当該運転免許証の運転者が当該車両を運転する条件を満たしているか否かを判定する判定手段と、
この判定手段により当該運転免許証の運転者が当該車両を運転する条件を満たしていると判定した場合、当該車両のエンジンを始動させるエンジン始動手段と、
を具備することを特徴とする車載装置。
【請求項２】
さらに、ＩＣカードに内蔵されているメモリの記録内容を読み取るカード読取手段を有し、
前記車両に関する情報は、ＩＣカードに内蔵されているメモリに記録されている、ことを特徴とする、前記請求項１に記載の車載装置。
【請求項３】
前記メモリには、当該車両の車検証に関する情報が当該車両に関する情報として記録されており、
前記判定手段は、前記メモリに記録されている当該車両の車検証に関する情報に基づいて、前記メモリに記録されている当該車両の車検証に記載されている条件を当該車両及び当該運転免許証の運転者が満たしているか否かにより当該運転免許証の運転者が当該車両を運転する条件を満たしているか否かを判定する、ことを特徴とする前記請求項１に記載の車載装置。
【請求項４】
前記メモリには、当該車両が加入している自賠責保険に関する情報が当該車両に関する情報として記録されており、
前記判定手段は、前記メモリに記録されている当該車両が加入している自賠責保険に関する情報に基づいて、前記メモリに記録されている当該車両が加入している自賠責保険の条件を当該車両及び当該運転免許証の運転者が満たしているか否かにより当該運転免許証の運転者が当該車両を運転する条件を満たしているか否かを判定する、ことを特徴とする前記請求項１に記載の車載装置。
【請求項５】
前記メモリには、当該車両に対する税金に関する情報が当該車両に関する情報として記録されており、
前記判定手段は、前記メモリに記録されている当該車両に対する税金に関する情報に基づいて、当該車両に対して支払うべき税金を納税しているか否かにより当該運転免許証の運転者が当該車両を運転する条件を満たしているか否かを判定する、ことを特徴とする前記請求項１に記載の車載装置。
【請求項６】
前記メモリには、当該車両が加入している任意保険に関する情報が当該車両に関する情報として記録されており、
前記判定手段は、前記読取手段により読み取った免許証情報と前記メモリに記録されている当該車両が加入している任意保険に関する情報に基づいて、当該運転免許証の運転者が当該車両が加入している任意保険の条件を満たしているか否かにより当該運転免許証の運転者が当該車両を運転する条件を満たしているか否かを判定する、ことを特徴とする前記請求項１に記載の車載装置。
【請求項７】
車両に搭載される車載装置において、
運転者が所持している運転免許証から免許証情報を読み取る読取手段と、
前記読取手段により読み取った免許証情報に基づいて当該運転免許証の運転者が当該車両を運転する際に車外に表示すべき標識の有無を判定する判定手段と、
この判定手段により表示すべき標識があると判定した場合、当該運転免許証を所持している運転者が表示すべき標識を車外から見える位置に表示する表示手段と、
を具備することを特徴とする車載装置。
【請求項８】
車両に搭載される車載装置において、
運転者が所持している運転免許証から免許証情報を読み取る読取手段と、
前記車載装置に搭載され、前記車両に関する情報が予め記録されているメモリと、
前記読取手段により読み取った免許証情報と前記メモリに記録されている車両に関する情報に基づいて、当該運転免許証の運転者が当該車両を運転する条件を満たしているか否かを判定する判定手段と、
この判定手段により当該運転免許証の運転者が当該車両を運転する条件を満たしていると判定した場合、当該車両のエンジンを始動させるエンジン始動手段と、
前記読取手段により更新用のデータが記録されているＩＣカードから更新用のデータを読み取って、前記メモリに記録されている車両に関する情報を更新する更新手段と、
を具備することを特徴とする車載装置。
【請求項９】
車両に搭載される車載装置において、
運転者が所持している運転免許証から免許証情報を読み取る読取手段と、
前記車載装置に搭載され、車両に関する情報がアプリケーション単位で予め記録されているメモリと、
前記読取手段により読み取った免許証情報と前記メモリに記録されている車両に関する情報に基づいて、当該運転免許証の運転者が当該車両を運転する条件を満たしているか否かを判定する判定手段と、
この判定手段により当該運転免許証の運転者が当該車両を運転する条件を満たしていると判定した場合、当該車両のエンジンを始動させるエンジン始動手段と、
前記メモリに記録されているアプリケーションの更新用のデータが記録されているメモリデバイスからデータを入力する外部インターフェース手段と、
この外部インターフェース手段により前記メモリデバイスから更新用のデータとしてのアプリケーションを前記メモリにダウンロードすることにより車両に関する情報を更新する更新手段と、
を具備することを特徴とする車載装置。
【発明の詳細な説明】
【技術分野】
【０００１】
本発明は、データの書き込み及び書き換えが可能な不揮発性メモリが内蔵されているＩＣカードから情報を読み取るカードリーダを備え、車両のエンジンを始動させる機能を有する車載装置に関する。
【背景技術】
【０００２】
従来、自動車の運転免許証としてＩＣカードを用いる技術が提案されている。さらに、近年では、例えば、運転者が所持しているＩＣカードと自動車側に設置された機器とが認証処理を行い、その結果として、ＩＣカードと自動車側に設置された機器との認証が成功した場合、当該自動車を動作させるものがある（例えば、特開平２−９２７５８号公報、特開平６−３６１２０号公報）。
【０００３】
このような従来の技術では、ＩＣカードを鍵の代わりとして用いることができるが、当該自動車に関する情報に基づいて運転者や自動車自体をチェックする機能はない。例えば、自動車には、法律上、様々の義務（条件）が課せられており、それらの条件を満たしていない自動車を運転した場合、運転者が、それに気づかずに運転した場合であっても、違法な運転をしたこととなる。このため、運転者が所持している運転免許証に記録されている免許条件や自動車が満たすべき条件などに違反して車両を運行させることを防止できるものが要望されている。
【特許文献１】特開平２−９２７５８号公報
【特許文献２】特開平６−３６１２０号公報
【発明の開示】
【発明が解決しようとする課題】
【０００４】
上記のように、車両を運転する前に、車両に課せられている条件や運転者が所持している運転免許証に記録されている免許条件などを満たしているか否かを確認して、違法な車両の運転を防止することができるものが要望されているもので、本発明は、車両を運転する前に、車両に課せられている条件や運転者が所持している運転免許証に記録されている免許条件などに基づいて、運転者が車両を運転する条件を全て満たしているか否かを確認することができ、違法な車両の運転を防止することができる車載装置を提供すること目的とする。
【課題を解決するための手段】
【０００５】
この発明の車載装置は、車両に搭載されるものにおいて、運転者が所持している運転免許証から免許証情報を読み取る読取手段と、前記車載装置に搭載され、前記車両に関する情報が予め記録されているメモリと、前記読取手段により読み取った免許証情報と前記メモリに記録されている車両に関する情報に基づいて、当該運転免許証の運転者が当該車両を運転する条件を満たしているか否かを判定する判定手段と、この判定手段により当該運転免許証の運転者が当該車両を運転する条件を満たしていると判定した場合、当該車両のエンジンを始動させるエンジン始動手段とから構成されている。
【０００６】
この発明の車載装置は、車両に搭載されるものにおいて、運転者が所持している運転免許証から免許証情報を読み取る読取手段と、前記読取手段により読み取った免許証情報に基づいて当該運転免許証の運転者が当該車両を運転する際に車外に表示すべき標識の有無を判定する判定手段と、この判定手段により表示すべき標識があると判定した場合、当該運転免許証を所持している運転者が表示すべき標識を車外から見える位置に表示する表示手段とから構成されている。
【０００７】
この発明の車載装置は、車両に搭載されるものにおいて、運転者が所持している運転免許証から免許証情報を読み取る読取手段と、前記車載装置に搭載され、前記車両に関する情報が予め記録されているメモリと、前記読取手段により読み取った免許証情報と前記メモリに記録されている車両に関する情報に基づいて、当該運転免許証の運転者が当該車両を運転する条件を満たしているか否かを判定する判定手段と、この判定手段により当該運転免許証の運転者が当該車両を運転する条件を満たしていると判定した場合、当該車両のエンジンを始動させるエンジン始動手段と、前記読取手段により更新用のデータが記録されているＩＣカードから更新用のデータを読み取って、前記メモリに記録されている車両に関する情報を更新する更新手段とから構成されている。
【０００８】
この発明の車載装置は、車両に搭載されるものにおいて、運転者が所持している運転免許証から免許証情報を読み取る読取手段と、前記車載装置に搭載され、前記車両に関する情報がアプリケーション単位で予め記録されているメモリと、前記読取手段により読み取った免許証情報と前記メモリに記録されている車両に関する情報に基づいて、当該運転免許証の運転者が当該車両を運転する条件を満たしているか否かを判定する判定手段と、この判定手段により当該運転免許証の運転者が当該車両を運転する条件を満たしていると判定した場合、当該車両のエンジンを始動させるエンジン始動手段と、上記メモリに記録されているアプリケーションの更新用のデータが記録されているメモリデバイスからデータを入力する外部インターフェース手段と、この外部インターフェース手段により前記メモリデバイスから更新用のデータとしてのアプリケーションを前記メモリにダウンロードすることにより車両に関する情報を更新する更新手段とから構成されている。
【発明の効果】
【０００９】
本発明によれば、車両を運転する前に、車両に課せられている条件や運転者が所持している運転免許証に記録されている免許条件などに基づいて、運転者が車両を運転する条件を全て満たしているか否かを確認することができ、違法な車両の運転を防止することができる車載装置を提供できる。
【発明を実施するための最良の形態】
【００１０】
以下、この発明の実施の形態について図面を参照して説明する。  
図１は、この発明の実施の形態に係る車載装置が用いられる車両の始動システムの構成例を概略的に示す図である。  
図１に示すように、この車両の始動システムは、自動車（車両）１０１と、この自動車１０１に設置された車載機（車載装置）１０２とから構成されている。さらに、当該自動車１０１には、上記車載機１０２により表示内容が制御される車外表示器１０２ａと車外表示器１０２ｂとが設けられている。上記車外表示器１０２ａは、車両の後方に、車外から見やすい位置に設置されている。上記車外表示器１０２ｂは、車両の前方に、車外から見やすい位置に設置されている。
【００１１】
上記車載機１０２は、運転者が所持している運転免許証１１１に記憶されている種々の情報を読み取れるようになっている。ここでは、運転免許証１１１は、接触式あるいは非接触式のＩＣカードから構成されるものとし、以下の説明では運転免許証ＩＣカード１１１と称する。また、上記車載機１０２は、データ格納用ＩＣカード（以下、車載カードとも称する）１１２から記録内容を読み取れるようになっている。上記車載カード１１２は、接触式あるいは非接触式のＩＣカードから構成される。
【００１２】
図２は、上記車載機１０２の構成を概略的に示すブロック図である。  
図２に示すように、車載機１０２は、免許証ＩＣカード用のカードリーダライタ２０１、データ格納用ＩＣカード用のカードリーダライタ２０２、制御装置（ＰＣ）２０３、車内表示装置２０４、操作部２０５、エンジン始動装置２０６、外部インターフェース装置２０７、及び車外表示制御部２０８などを有している。
【００１３】
上記免許証ＩＣカード用のカードリーダライタ２０１は、運転免許証１１１として採用されているＩＣカードの形式に対応したカードリーダライタ装置により構成される。上記カードリーダライタ２０１は、例えば、運転免許証（免許証ＩＣカード）１１１を挿入する挿入口２０１ａが設けられており、その挿入口２０１ａに運転免許証１１１を挿入した状態で当該運転免許証１１１から情報を読み取ることができるようになっている。例えば、運転免許証が接触式のＩＣカードからなる場合、免許証ＩＣカード１１１としての接触式のＩＣカードに対してデータの読み取り及び書き込みを行うカードリーダライタ装置により構成される。また、運転免許証１１１が非接触式のＩＣカード（無線カード）からなる場合、免許証ＩＣカード１１１としての非接触式のＩＣカードに対してデータの読み取り及び書き込みを行うカードリーダライタ装置により構成される。
【００１４】
上記データ格納用ＩＣカード用のカードリーダライタ２０２は、車載カード１１２として採用されるＩＣカードの形成に対応したカードリーダライタ装置により構成される。上記カードリーダライタ２０２は、例えば、車載カード１１２を挿入する挿入口２０２ａが設けられており、その挿入口２０２ａに車載カード１１２を挿入した状態で当該車載カード１１２から情報を読み取ることができるようになっている。例えば、車載カード１１２が接触式のＩＣカードからなる場合、車載カード１１２としての接触式のＩＣカードに対してデータの読み取り及び書き込みを行うカードリーダライタ装置により構成される。また、車載カード１１２が非接触式のＩＣカード（無線カード）からなる場合、車載カード１１２としての非接触式のＩＣカードに対してデータの読み取り及び書き込みを行うカードリーダライタ装置により構成される。なお、上記車載カードとして接触式のＩＣカードを採用する場合、上記車載カード１１２はＳＡＭ形状のものであっても良い。
【００１５】
上記制御装置（ＰＣ）２０３は、上記車載機１０２全体の制御を司るものである。また、上記制御装置２０３は、現在日時を計時するクロック２０３ａを有している。なお、上記制御装置２０３は、当該自動車１０１に設けられているクロック（図示しない）から現在日時を判断するようにしても良い。上記車内表示装置２０４は、車内の運転者に対して案内などを表示するものである。上記操作部２０５は、キーボードやテンキー、あるいは車内表示装置２０４に設けられたタッチパネル等により構成される。上記操作部２０５は、当該車載機１０２を操作するために使用する。
【００１６】
上記エンジン始動装置２０６は、当該自動車１０１のエンジンを始動させる装置である。上記エンジン始動装置２０６は、例えば、当該自動車１０１のエンジンスタータ（図示しない）などに接続されており、上記エンジンスタータへ制御信号を供給して当該自動車１０１のエンジンを始動させるものである。上記外部インターフェース装置２０７は、外部装置としてのメモリデバイスからデータを取り込むものである。上記メモリデバイスの例としては、セキュリティ機能を搭載したメモリカードが用いられる。上記車外表示制御部２０８は、上記車外表示器１０２ａおよび上記車外表示器１０２ｂの表示内容を制御するものである。
【００１７】
次に、上記免許証ＩＣカード１１１について説明する。
【００１８】
図３は、上記免許証ＩＣカード１１１を示す図である。
【００１９】
上記免許証ＩＣカード１１１は、図３に示すように、上記車載機１０２にて記録内容が読み取り可能なメモリ３０１を有している。上記免許証ＩＣカード１１１の表面には、個人情報（氏名、生年月日、本籍地、住所、年齢、顔写真など）、免許証番号、免許証の取得年月日、免許証種別、及び免許条件などが印刷されている。また、上記免許証ＩＣカード１１１内のメモリ３０１には、免許証情報として、少なくとも上記したような表面に印刷されている種々の情報が電子化されて記録されている。
【００２０】
次に、上記車載カード１１２について説明する。
【００２１】
図４は、上記車載カード１１２の第１の構成例を示す図である。
【００２２】
図４に示す第１の構成例の車載カード１１２Ａは、データ格納型のＩＣカードにより構成されている。上記車載カード１１２Ａは、図４に示すように、上記車載機１０２にて記録内容が読み取り可能なメモリ４０１を有している。上記車載カード１１２Ａ内のメモリ４０１には、自動車に関する情報として、当該自動車の車検証に関する情報、自賠責保険及び税金などの当該自動車を動かすために必要な情報、及び、任意保険に関する情報などが電子化されて記録されている。
【００２３】
例えば、車検証に関する情報とは、当該自動車１０１の車検証に記載されている事項を電子化した情報である。また、自賠責保険とは、当該自動車１０１を動かす場合に法律で加入が義務付けられている保険である。上記メモリ４０１には、当該自動車１０１の所持者あるいは使用者が加入している自賠責保険に関する情報が電子化されて記録されている。上記税金とは、当該自動車１０１を動かす場合に法律で支払いが義務付けられている税金である。上記メモリ４０１には、当該自動車１０１の所持者あるいは使用者が支払った税金及び支払うべき税金（未納分の税金）に関する情報が電子化されて記録されている。また、任意保険とは、当該自動車１０１の所持者あるいは使用者が任意で加入する車両保険や損害賠償保険などの自動車保険である。上記メモリ４０１には、当該自動車１０１の所持者あるいは使用者が任意保険に加入している場合に任意保険に関する情報が電子化されて記録されている。
【００２４】
図５は、上記車載カード１１２の第２の構成例を示す図である。
【００２５】
図５に示す第２の構成例の車載カード１１２Ｂは、アプリケーション対応型のＩＣカードにより構成されている。上記車載カード１１２Ｂには、種々のアプリケーションが記録されている。上記車載カード１１２Ｂは、図５に示すように、上記車載カード１０２Ｂにて記録内容が読み取り可能なメモリ５０１を有している。上記車載カード１１２内のメモリ５０１には、車検アプリケーション、保険アプリケーション、納税アプリケーションなどのアプリケーション単位でデータが記憶されている。
【００２６】
上記車検アプリケーションとしては、当該自動車１０１の車検証に関する情報が記録されている。上記保険アプケーションとしては、法律で加入が義務付けられている当該自動車１０１の自賠責保険に関する情報、及び所持者あるいは使用者が任意で加入している任意保険に関する情報などが記録されている。上記納税アプリケーションとしては、法律で支払いが義務付けられている税金に対する納税に関する情報などが記録されている。
【００２７】
なお、本実施の形態では、上記車載カードに内蔵されているメモリに車両に関する情報を記録するものとして説明するが、これに限らず、例えば、車載機１０２に設けられた記憶手段に当該車両に関する情報を記録するようにしても良し、ＩＣカード以外の記録媒体に当該車両に関する情報を記録するようにしても良い。
【００２８】
次に、上記車載機１０２が搭載された自動車１０１の始動時の動作について説明する。
【００２９】
図６は、上記車載機１０２が搭載された自動車１０１のエンジン始動までの動作を説明するためのフローチャートである。ここで、上記車載機１０２のカードリーダライタ２０２には、当該自動車に関する情報が記録されている車載カード１１２が挿入口２０２ａにセットされているものとする。この状態において、運転者が当該自動車１０１に乗車し、運転免許証（免許証ＩＣカード）１１１を上記カードリーダライタ２０１の挿入口２０１ａにセットする。
【００３０】
すると、上記カードリーダライタ２０１は、挿入口２０１ａにセットされた運転免許証１１１から免許証情報を読み取る。免許証情報を読み取ると、上記制御装置２０３は、当該運転免許証１１１が正当なものであるか否かの認証処理を行う（ステップＳ６０１）。この認証処理は、当該運転免許証１１１が不正なものでないかを確認する処理である。
【００３１】
なお、上記運転免許証の認証処理としては、予め当該自動車１０１の運転が許可されている人物の運転免許証の免許証情報（例えば、免許証番号）を上記車載カード１１２に登録しておき、上記カードリーダライタ２０１により読み取った運転免許証１１１の免許証情報と上記車載カード１１２に登録されている免許証情報とを照合することにより行うようにしても良い。
【００３２】
上記運転免許証の認証処理により当該運転免許証１１１が正当なものであると判断した場合（ステップＳ６０１、ＹＥＳ）、上記制御装置２０３は、当該運転者と当該運転免許証１１１の人物とが同一人物であるか否かを確認する本人認証処理を行う（ステップＳ６０２）。この本人認証処理は、例えば、当該運転者が入力するパスワードによって本人であるか否かを判定する処理である。
【００３３】
この場合、予め当該自動車１０１を運転する人物の運転免許証の免許証情報（例えば、免許証番号）に対応してパスワードを上記車載カード１１２に登録しておき、上記操作部２０５により当該運転者が入力したパスワードが上記車載カード１１２に登録されているパスワードと一致するか否かにより本人であるか否かを確認するようにすれば良い。なお、本人認証処理は、顔画像、指紋、虹彩、手のあるいは静脈パターンなどの生体情報を用いて行うようにしても良い。
【００３４】
上記のような本人認証処理により本人であることが認証された場合（ステップＳ６０２、ＹＥＳ）、上記制御装置２０３は、上記クロック２０３ａにて計時している現在日時と上記車載カード１１２に記録されている当該自動車の車検証に関する情報として記録されている車検期限とを比較して、現在日時が車検証の有効期限内であるあるか否かを判定する（ステップＳ６０３）。
【００３５】
この判定により車検証の有効期限内であると判定した場合（ステップＳ６０３、ＹＥＳ）、上記制御装置２０３は、上記車載カード１１２に記録されている当該自動車１０１の車種を示す情報と上記カードリーダライタ２０１により読み取った運転免許証１１１の免許の車種とが適合（一致）しているか否かを判定する（ステップＳ６０４）。
【００３６】
この判定により運転免許証の免許の車種が上記車載カード１１２に登録されている車種に適合していると判定した場合（ステップＳ６０４、ＹＥＳ）、上記制御装置２０３は、上記車載カード１１２に記録されている自賠責保険に関する情報により当該自動車１０１が自賠責保険に加入し、かつ、その自賠責期間内であるか否かを判定する（ステップＳ６０５）。
【００３７】
この判定により当該自動車１０１が自賠責保険に加入し、かつ、その自賠責保険の期間内であると判定した場合（ステップＳ６０５、ＹＥＳ）、上記制御装置２０３は、上記車載カード１１２に記録されている税金に関する情報により、当該自動車１０１に対する税金が納税済みであるか否かを判定する（ステップＳ６０６）。
【００３８】
この判定により当該自動車１０１に対する税金が納税済みであると判定した場合（ステップＳ６０６、ＹＥＳ）、上記制御装置２０３は、任意保険に関するチェックを行う（ステップＳ６０７〜Ｓ６０９）。すなわち、任意保険に関するチェックとして、上記制御装置２０３は、まず、上記運転免許証１１１から読み取った免許証情報と上記車載カード１１２に登録されている任意保険に関する情報とに基づいて当該運転者が任意保険における年齢等の限定条件を満たしているか否かを判定する（ステップＳ６０７）。
【００３９】
この判定により当該運転者が任意保険における年齢等の限定条件を満たしていると判定した場合（ステップＳ６０７、ＹＥＳ）、上記制御装置２０３は、当該運転者が任意保険における運転者に関する限定（家族限定）を満たしているか否かを判定する（ステップＳ６０８）。
【００４０】
この判定により当該運転者が任意保険における運転者に関する限定を満たしていると判定した場合（ステップＳ６０８、ＹＥＳ）、上記制御装置２０３は、現在の日時が上記車載カード１１２に登録されている任意保険の保険期間内であるか否かを判定する（ステップＳ６０９）。
【００４１】
この判定により任意保険の保険期間内であると判定した場合（ステップＳ６０９、ＹＥＳ）、上記制御装置２０３は、上記運転免許証１１１を所持している運転者が当該自動車１０１を運転する条件を全て満たしているものと判断し、上記エンジン始動装置２０６により当該自動車１０１のエンジンを始動させる（ステップＳ６１０）。
【００４２】
また、上記各ステップＳ６０１〜Ｓ６０９の何れかでＯＮとなった場合、上記制御装置２０３は、当該自動車１０１のエンジンをかけないようにする。この際、上記制御装置２０３は、上記車内表示装置２０４にエンジンの始動を不可とする理由などを表示するようにしても良い。
【００４３】
すなわち、運転免許証の正当性が認証されなかった場合（ステップＳ６０１、ＮＯ）、上記制御装置２０３は、当該自動車１０１のエンジンの始動を不可とし、上記車内表示装置２０４に運転免許証の正当性が確認できないためエンジンを始動できない旨を表示する。また、当該運転免許証を挿入した人物が本人でないと判定された場合（ステップＳ６０２、ＮＯ）、上記制御装置２０３は、当該自動車１０１のエンジンの始動を不可とし、上記車内表示装置２０４に本人と確認できないためエンジンを始動できない旨を表示する。
【００４４】
また、当該自動車１０１の車検証の期限を超過している場合（ステップＳ６０３、ＮＯ）、上記制御装置２０３は、当該自動車１０１のエンジンの始動を不可とし、上記車内表示装置２０４に当該自動車１０１の車検が切れているためエンジンを始動できない旨を表示する。なお、車検証の期限が近い場合（例えば、１か月内に期限が切れる場合）、上記制御装置２０３は、次のステップＳ６０５へ進むとともに、車検の期限が近い旨を上記車内表示装置２０４に表示して運転者に報知するようにしても良い。
【００４５】
また、当該自動車１０１の車種と運転免許証で許可されている車種と一致しない場合（ステップＳ６０４、ＮＯ）、上記制御装置２０３は、当該自動車１０１のエンジンの始動を不可とし、上記車内表示装置２０４に運転免許証の免許の車種では当該自動車が運転できない旨を表示する。
【００４６】
また、当該自動車１０１が自賠責保険に加入していない場合、あるいは、当該自動車１０１の自賠責保険の保険期間を超過している場合（ステップＳ６０５、ＮＯ）、上記制御装置２０３は、当該自動車１０１のエンジンの始動を不可とし、上記車内表示装置２０４に当該自動車１０１が自賠責保険に加入していない、あるいは、当該自動車の自賠責保険の保険期間が切れているためエンジンを始動できない旨を表示する。なお、自賠責保険の期限が近い場合（例えば、１か月内に期限が切れる場合）、上記制御装置２０３は、次のステップＳ６０６へ進むとともに、自賠責保険の期限が近い旨を上記車内表示装置２０４に表示して運転者に報知するようにしても良い。
【００４７】
また、当該自動車１０１に対する税金が納税済みでない場合（ステップＳ６０６、ＮＯ）、上記制御装置２０３は、当該自動車１０１のエンジンの始動を不可とし、上記車内表示装置２０４に当該自動車１０１に対する税金が未払いであるためエンジンを始動できない旨を表示する。なお、税金の支払い期限が近い場合、上記制御装置２０３は、次のステップＳ６０７へ進むとともに、税金の支払い期限が近い旨を上記車内表示装置２０４に表示して運転者に報知するようにしても良い。
【００４８】
また、当該運転者が当該自動車１０１に対してかけられている任意保険における年齢条件を満たしていない場合（ステップＳ６０７、ＮＯ）、上記制御装置２０３は、当該自動車１０１のエンジンの始動を不可とし、上記車内表示装置２０４に当該自動車１０１の任意保険における年齢条件を満たしていないためエンジンを始動できない旨を表示する。なお、任意保険は、法律等で義務付けられている条件（自動車１０１を運転するための絶対条件）ではないため、運転者が任意保険の年齢条件を満たしていない場合であっても、上記車内表示装置２０４に任意保険の年齢条件を満たしていない旨を警告として表示して次のステップＳ６０８へ進むようにしても良い。
【００４９】
また、当該運転者が当該自動車１０１に対してかけられている任意保険における運転者の限定条件（例えば家族限定）を満たしていない場合（ステップＳ６０８、ＮＯ）、上記制御装置２０３は、当該自動車１０１のエンジンの始動を不可とし、上記車内表示装置２０４に当該自動車１０１の任意保険における運転者の限定条件を満たしていないためエンジンを始動できない旨を表示する。なお、任意保険は、法律等で義務付けられている条件（自動車１０１を運転するための絶対条件）ではないため、運転者が任意保険の運手者の限定条件を満たしていない場合であっても、上記車内表示装置２０４に任意保険の運転者の限定条件を満たしていない旨を警告として表示して次のステップＳ６０８へ進むようにしても良い。
【００５０】
また、当該自動車１０１に対してかけられている任意保険の保険期間を超過している場合（ステップＳ６０９、ＮＯ）、上記制御装置２０３は、当該自動車１０１のエンジンの始動を不可とし、上記車内表示装置２０４に当該自動車１０１の任意保険の保険期間が切れているためエンジンを始動できない旨を表示する。なお、任意保険は、法律等で義務付けられている条件（自動車１０１を運転するための絶対条件）ではないため、運転者が任意保険の年齢条件を満たしていない場合であっても、上記車内表示装置２０４に任意保険の年齢条件を満たしていない旨を警告として表示して次のステップＳ６１０へ進むようにしても良い。また、任意保険の期限が近い場合（例えば、１か月内に期限が切れる場合）、上記制御装置２０３は、次のステップＳ６１０へ進むとともに、任意保険の期限が近い旨を上記車内表示装置２０４に表示して運転者に報知するようにしても良い。
【００５１】
上記のように、車載機は、予めデータ格納用ＩＣカード（あるいは車載機のメモリ）に記録されている当該車両に関する情報と運転者が所持している運転免許証に記録されている免許証情報とに基づいて、当該運転者が当該車両を運転する条件を満たしているか否かを判定し、それらの条件を満たしていると判定した場合に当該車両のエンジンを始動させるようにしてものである。
【００５２】
これにより、運転者が車両の運転を開始するたびに、当該運転者が当該車両を運転するための条件を満たしているか否かを確認することができ、車両のセキュリティ性を向上させるとともに違法な運転を防止することが可能となる。
【００５３】
次に、上記車外表示器１０２ａ、１０２ｂを表示させる動作について説明する。
【００５４】
図７は、上記車外表示器１０２ａ、１０２ｂを表示させる動作を説明するためのプロ−チャートである。この動作は、例えば、上記図６に示す動作によって当該自動車１０１のエンジンを始動させた後に行う。
【００５５】
すなわち、上記車載機１０２の制御装置２０３は、上記カードリーダライタ２０１により読み取った免許証情報から運転者の免許証の取得年月日と上記クロック２０３ａにより計時している現在日時とに基づいて、当該運転免許証１１１の運転者が自動車の運転の初心者であるか否かを判定する（ステップＳ７０１）。この判定において当該運転者が初心者であるか否かは、例えば、当該運転免許証１１１の取得後、１年以内であるか否かにより判定される。
【００５６】
上記判定により当該運転免許証１１１の運転者が初心者であると判定した場合（ステップＳ７０１、ＹＥＳ）、上記制御装置２０３は、上記車外表示制御部２０８により上記車外表示器１０２ａ及び上記車外表示器１０２ｂに運転手が初心者であることを示すマーク（一般的に若葉マークと呼ばれる初心者マーク）を表示する（ステップＳ７０２）。
【００５７】
また、上記制御装置２０３は、上記カードリーダライタ２０１により読み取った免許証情報から運転者の生年年月日と上記クロック２０３ａにより計時している現在日時とに基づいて当該運転免許証１１１の運転者の年齢を判定し、当該運転者が高齢者であるか否かを判定する（ステップＳ７０３）。この判定において当該運転者が高齢者であるか否かは、例えば、当該運転免許証１１１の運転者の年齢が７５歳以上であるか否かにより判定される。
【００５８】
上記判定により当該運転免許証１１１の運転者が高齢者であると判定した場合（ステップＳ７０３、ＹＥＳ）、上記制御装置２０３は、上記車外表示制御部２０８により上記車外表示器１０２ａ及び上記車外表示器１０２ｂに運転手が高齢者であることを示すマーク（一般的に紅葉マークと呼ばれる高齢者マーク）を表示する（ステップＳ７０４）。
【００５９】
また、上記制御装置２０３は、上記カードリーダライタ２０１により読み取った免許証情報から運転者が障害者であるか否かを判定する（ステップＳ７０５）。この判定において当該運転者が障害者である旨の情報は、当該運転免許証１１１に記録されているものとする。
【００６０】
上記判定により当該運転免許証１１１の運転者が障害者であると判定した場合（ステップＳ７０５、ＹＥＳ）、上記制御装置２０３は、上記車外表示制御部２０８により上記車外表示器１０２ａ及び上記車外表示器１０２ｂに運転手が障害者であることを示すマーク（一般的に四葉マークと呼ばれる障害者マーク）を表示する（ステップＳ７０６）。
【００６１】
さらに、上記制御装置２０３は、上記カードリーダライタ２０２により上記車載カード１１２から読み取った車検証の有効期限情報に基づいて車検期限を示すマークを判定し、上記車外表示制御部２０８により上記車外表示器１０２ｂに当該自動車１０１の車検期限を示すマークを表示する（ステップＳ７０７）。
【００６２】
上記のように、当該車載機１０２は、運転免許証に記録されている免許証情報から運転者が初心者であると判定した場合には車外表示器に初心者マーク（標識）を表示し、運転免許証に記録されている免許証情報から運転者が高齢者であると判定した場合には車外表示器に高齢者マーク（標識）を表示し、運転免許証に記録されている免許証情報から運転者が障害者であると判定した場合には車外表示器に障害者マーク（標識）を表示するようにしたものである。
【００６３】
これにより、運転者が自分で初心者マークや高齢者マーク、障害者マークなどの標識を車体に付ける必要がなくなる。特に、複数の運転者が運転する車両においては、各運転者が車両の運転を開始する前に、上記のようなマークをつける必要がなくなるため、利便性が向上する。
【００６４】
さらに、上記のように、車載機１０２では、車載カード１１２に記録されている車検証に関する情報に基づいて車検の期限を示すマークを上記車外表示器１０２ｂに表示するようにしたものである。これより、車検ごとに、車体に車検の期限を示すマークを貼り付ける必要がなくなる。
【００６５】
次に、上記車載カード１１２に記録されている当該自動車に関する情報の更新手順について説明する。
【００６６】
まず、図４に示すような、データ格納型のＩＣカードからなる車載カード１１２Ａに対するデータの更新手順の例について説明する。図８は、上記車載カード１１２Ａに対するデータの更新手順の一例を説明するためのフローチャートである。
【００６７】
ここでは、更新用のデータを記録したＩＣカードを用いて上記車載カード１１２Ａに内蔵されているメモリ４０１に記録されている当該自動車に関する情報を更新する場合の動作について説明する。
【００６８】
まず、上記免許証ＩＣカード用のカードリーダライタ２０１によりデータの読取可能な図示しないＩＣカードを別途用意し、そのＩＣカード（以下、データ更新用ＩＣカードと称する）に内蔵されているメモリに更新用のデータを記録する。また、上記データ更新用のＩＣカードは、上記車載機１０２との認証を行う機能を有しているものである。
【００６９】
上記データ更新用ＩＣカードに上記車載カード１１２Ａのメモリ４０１に記録されている当該自動車に関する情報を更新するための更新用のデータを記録し、そのデータ更新用ＩＣカードを上記カードリーダライタ２０１の挿入口２０１ａに挿入する（ステップＳ８０１）。すると、上記制御装置２０３は、上記カードリーダライタ２０１の挿入口２０１ａに挿入されたデータ更新用ＩＣカードとの認証処理を行う（ステップＳ８０２）。この認証処理では、車載機１０２とデータ更新用ＩＣカードとの相互認証が行われる。
【００７０】
この認証処理により車載機１０２とデータ更新用ＩＣカードとの相互認証が成功すると（ステップＳ８０２、ＹＥＳ）、上記制御装置２０３は、上記カードリーダライタ２０１により当該データ更新用ＩＣカードに記録されている更新用のデータを読み出す（ステップＳ８０３）。このデータ更新用ＩＣカードから読み出された更新用のデータは、例えば、上記制御装置２０３内の図示しない内部メモリなどに一旦記録される。
【００７１】
上記データ更新用ＩＣカードから更新用のデータを読み出すと、上記制御装置２０３は、上記カードリーダライタ２０２も挿入口２０２ａに挿入されている上記車載カード１１２Ａとの認証処理を行う（ステップＳ８０４）。この認証処理では、車載機１０２と車載カード１１２Ａとの相互認証が行われる。
【００７２】
この認証処理により車載機１０２と車載カード１１２Ａとの相互認証が成功すると（ステップＳ８０４、ＹＥＳ）、上記制御装置２０３は、上記データ更新用ＩＣカードから読み出した更新用のデータを上記カードリーダライタ２０２により上記車載カード１１２Ａのメモリ４０１に書き込む（ステップＳ８０５）。
【００７３】
なお、上記ステップＳ８０２あるいはＳ８０４で、上記車載機１０２とデータ更新用ＩＣカードあるいは上記車載機１０２と車載カード１１２Ａとの認証処理が失敗した場合、上記制御装置２０３は、上記車載カード１１２Ａのメモリ４０１に対するデータの更新処理を中止する。
【００７４】
また、図８に示す更新手順では、更新用データを記録したＩＣカードを用いて車両に関する情報のデータ更新を行うようにしたが、これに限らず、更新用データを車載機に取得できるものであれば、上記同様な手順でデータ更新が可能である。例えば、外部インターフェース装置２０７にて読取可能なメモリカードに更新用データを記録して上記車載カード１１２Ａのメモリ４０１に記録されている車両に関する情報を更新するようにしても良い。
【００７５】
上記のように、上記車載カードに記録されている車両に関する情報を更新するための更新用データを別のＩＣカードに記録し、そのＩＣカードに記録されている更新用データを免許証ＩＣカード用のカードリーダライタで読み取ることにより、上記車載カードに記録されている車両に関する情報を更新するようにしたものである。
【００７６】
これにより、車載機に更新用データを取得するための外部インターフェース等が不要となり、簡易な車載機の構成のままで簡単に車両に関する情報の更新が可能となる。
【００７７】
次に、図５に示すような、アプリケーション対応型のＩＣカードからなる車載カード１１２Ｂに対するデータの更新手順の例について説明する。図９は、上記車載カード１１２Ｂに対するデータの更新手順の一例を説明するためのフローチャートである。
【００７８】
ここでは、上記外部インターフェース装置２０７にて読取可能な更新用のアプリケーションが記録されているセキュリティ機能付きのメモリデバイス（メモリカード）を用いて上記車載カード１１２Ｂのメモリ５０１に記録されている当該自動車に関する情報を更新する場合の動作について説明する。
【００７９】
まず、上記外部インターフェース装置２０７によりデータの読取可能な図示しないメモリカードを別途用意し、そのメモリカード（以下、データ更新用メモリカードとも称する）に更新用のデータとしての更新用のアプリケーションを記録する。また、上記データ更新用メモリカードは、上記車載機１０２との認証を行う機能（セキュリティ機能）を有しているものが用いられる。
【００８０】
上記データ更新用メモリカードに上記車載カード１１２Ｂのメモリ５０１に記録されている当該自動車に関する情報を更新するための更新用のアプリケーションを記録し、そのデータ更新用メモリカードを上記外部インターフェース装置２０７の挿入口（図示しない）に挿入する（ステップＳ９０１）。すると、上記制御装置２０３は、上記外部インターフェース装置２０７に挿入されたデータ更新用メモリカードとの認証処理を行う（ステップＳ９０２）。この認証処理では、車載機１０２とデータ更新用メモリカード（メモリカードのセキュリティ機能）との相互認証が行われる。
【００８１】
この認証処理により車載機１０２とデータ更新用メモリカードとの相互認証が成功すると（ステップＳ９０２、ＹＥＳ）、上記制御装置２０３は、上記カードリーダライタ２０２も挿入口２０２ａに挿入されている上記車載カード１１２Ｂとの認証処理を行う（ステップＳ９０３）。この認証処理では、車載機１０２と車載カード１１２Ｂとの相互認証が行われる。
【００８２】
この認証処理により車載機１０２と車載カード１１２Ｂとの相互認証が成功すると（ステップＳ９０３、ＹＥＳ）、上記制御装置２０３は、上記外部インターフェース装置２０７により上記データ更新用メモリカードから更新用のアプリケーションを読み出して上記カードリーダライタ２０２により上記車載カード１１２Ｂのメモリ５０１にダウンロードする（ステップＳ９０４）。これにより、上記車載カード１１２Ｂのメモリ５０１に記録されている各アプリケーションは、上記データ更新用メモリカードに記録されている更新用のアプリケーションによってアップデートされる。
【００８３】
なお、上記ステップＳ８０２あるいはＳ８０３で、上記車載機１０２とデータ更新用メモリカードあるいは上記車載機１０２と車載カード１１２Ｂとの認証処理が失敗した場合に、上記制御装置２０３は、上記車載カード１１２Ｂのメモリ５０１に対するアプリケーションの更新処理を中止する。
【００８４】
また、図９に示す更新手順では、更新用のアプリケーションを記録したメモリデバイス（メモリカード）を用いて車両に関する情報の更新を行うようにしたが、これに限らず、更新用のアプリケーションと車載機に取り込むことができるものであれば、上記同様な手順でデータ更新が可能である。例えば、上記免許証ＩＣカード用のカードリーダライタ２０１にて読取可能なＩＣカードに更新用のアプリケーションを記録して、そのＩＣカードに記録した更新用のアプリケーションを上記車載カード１１２Ｂのメモリ４０１にダウンロードするようにしても良い。
【００８５】
上記のように、上記車載カードに記録されている車両に関する情報を更新するための更新用のアプリケーションをメモリデバイスに記録し、そのメモリデバイスに記録されている更新用のアプリケーションを上記車載カードのメモリにダウンロードすることにより車両に関する情報を更新するようにしたものである。
【００８６】
これにより、車載カードのメモリに記録されているアプリケーションを更新するための更新用のアプリケーションを、簡単に上記車載カードのメモリにダウンロードすることができ、車両に関する情報を容易に更新できる。
【図面の簡単な説明】
【００８７】
【図１】この発明の実施の形態に係る車載機が搭載されている自動車の外観を示す図。
【図２】車載機の全体構成を概略的に示すブロック図。
【図３】免許証ＩＣカードの構成例を説明するための図。
【図４】データ格納型のＩＣカードからなる車載カードの構成例を説明するための図。
【図５】アプリケーション対応型のＩＣカードからなる車載カードの構成例を説明するための図。
【図６】車載機が搭載された自動車のエンジンを始動するまでの動作を説明するためのフローチャートである。
【図７】車外表示器を表示させる動作を説明するためのプロ−チャートである。
【図８】車載カードに対するデータの更新手順の一例を説明するためのフローチャートである。
【図９】車載カードに対するデータの更新手順の一例を説明するためのフローチャートである。
【符号の説明】
【００８８】
１０１…自動車、１０２…車載機、１０２ａ、１０２ｂ…車外表示器、１１１…運転免許証（免許証ＩＣカード）、１１２（１１２Ａ、１１２Ｂ）…車載カード、２０１…カードリーダライタ、２０２…カードリーダライタ、２０３…制御装置、２０４…車内表示装置、２０５…操作部、２０６…エンジン始動装置、２０７…外部インターフェース装置、２０８…車外表示制御部、３０１…メモリ、４０１、５０１…メモリ
【図１】
2005096657.tif 000003
【図２】
2005096657.tif 000004
【図３】
2005096657.tif 000005
【図４】
2005096657.tif 000006
【図５】
2005096657.tif 000007
【図６】
2005096657.tif 000008
【図７】
2005096657.tif 000009
【図８】
2005096657.tif 000010
【図９】
2005096657.tif 000011